(57)【要約】  蓄電装置による電力供給をより長く行うことができるようにすることで、蓄電装置を用いた投写型表示装置の蓄電装置の容積および重量を抑制し、製造コストを低減する投写型表示装置、投写型表示装置の光源制御装置および光源制御方法を提供する。  光源制御装置（２００）は、光源部（４０１Ｒ、ＧおよびＢ）に駆動電力を供給する光源駆動部（２１１Ｒ、ＧおよびＢ）と、光源部（４０２Ｒ、ＧおよびＢ）に駆動電力を供給する光源駆動部（２１２Ｒ、ＧおよびＢ）と、外部電源を受けて光源駆動部（２１１Ｒ、ＧおよびＢ）または（２１２Ｒ、ＧおよびＢ）に電力を供給するＡＣ−ＤＣ電圧変換部（２０３）と、画像信号により示される画像の明るさに応じて、蓄電部（２０５）から電力を受けている光源駆動部によって出力される第２の駆動電力を増減させる制御部（２３０）と、を備える。
2011089713.tif 000002
【特許請求の範囲】
【請求項１】
複数の色の光源として、前記各色ごとに設けられた第１および第２の発光素子を含み、各色光を出射する複数の発光手段と、前記発光手段から出射された各色光を画像信号に基づいて光変調する複数の変調手段と、前記光変調された各色光を合成する合成手段と、前記合成された光を画像として投写する投写手段と、を有する投写型表示装置の光源制御装置であって、
前記第１の発光素子に駆動電力を供給する第１の駆動手段と、
前記第２の発光素子に駆動電力を供給する第２の駆動手段と、
外部電源を受けて、前記第１の駆動手段に電力を供給する電源手段と、
前記外部電源を用いて電力を蓄積し、前記蓄積された電力を前記第２の駆動手段に供給する蓄電手段と、
前記画像信号に示される、投写される前記画像の明るさに応じて前記第２の駆動手段により出力される第２の駆動電力を増減させる制御手段と、を備える光源制御装置。
【請求項２】
請求項１に記載の光源制御装置において、
前記制御手段は、前記画像信号に示される画像の明るさが、所定の閾値未満である場合には、前記第２の駆動電力を、前記明るさが前記所定の閾値以上のときに比べて低下させる、光源制御装置。
【請求項３】
請求項１または２に記載の光源制御装置において、
前記電源手段から前記第１の駆動手段に電力が供給されるとともに前記蓄電手段から前記第２の駆動手段に電力が供給される接続状態と、前記電源手段から前記第２の駆動手段に電力が供給されるとともに前記蓄電手段から前記第１の駆動手段に電力が供給される接続状態と、を交互に切り換える切換手段をさらに備え、
前記制御手段は、前記画像信号に示される画像の明るさに応じて、前記蓄電手段から電力を受けている前記駆動手段により出力される前記第２の駆動電力を増減させる、光源制御装置。
【請求項４】
請求項１または３のいずれか１項に記載の光源制御装置において、
前記第１および第２の発光素子は、発光ダイオードである、光源制御装置。
【請求項５】
請求項１から４のいずれか１項に記載の光源制御装置において、
前記複数の発光手段は、前記複数の色の光源として、赤、緑および青の色光を出射するものである、光源制御装置。  
【請求項６】
請求項１から５のいずれか１項に記載の光源制御装置において、
前記投写型表示装置は、第１および第２の発光素子を冷却する冷却手段をさらに含むものである、光源制御装置。
【請求項７】
複数の色の光源から出射された各色光を画像信号に基づいて光変調する複数の変調手段と、前記光変調された各色光を合成する合成手段と、前記合成された光を画像として投写する投写手段と、を有する投写型表示装置であって、
前記光源として、前記各色ごとに設けられた第１および第２の発光素子を含み、色光を出射する複数の発光手段と、
前記第１の発光素子に駆動電力を供給する第１の駆動手段と、
前記第２の発光素子に駆動電力を供給する第２の駆動手段と、
外部電源を受けて、前記第１の駆動手段に電力を供給する電源手段と、
前記外部電源を用いて電力を蓄積し、前記蓄積された電力を前記第２の駆動手段に供給する蓄電手段と、
前記画像信号に示される、投写される前記画像の明るさに応じて前記第２の駆動手段により出力される第２の駆動電力を増減させる制御手段と、を備える投写型表示装置。
【請求項８】
請求項７に記載の光源制御装置において、
前記制御手段は、前記画像信号に示される画像の明るさが、所定の閾値未満である場合には、前記第２の駆動電力を、前記明るさが前記所定の閾値以上のときに比べて低下させる、光源制御装置。
【請求項９】
複数の色の光源として、前記各色ごとに設けられた第１および第２の発光素子を含み、各色光を出射する複数の発光手段と、前記発光手段から出射された各色光を画像信号に基づいて光変調する複数の変調手段と、前記光変調された各色光を合成する合成手段と、前記合成された光を画像として投写する投写手段と、を含む投写型表示装置における光源制御装置の光源制御方法であって、
外部電源に基づいて電源電力を生成し、
前記外部電源を用いて電力を蓄積し、前記蓄積された蓄積電力を放電し、
前記電源電力に基づいて、前記第１の発光素子を発光させるための第１の駆動電力を生成し、前記第１の駆動電力を前記第１の発光素子に供給し、
前記蓄積電力に基づいて、前記第２の発光素子を発光させるための第２の駆動電力を生成し、前記第２の駆動電力を前記第２の発光素子に供給し、
前記画像信号に示される、投写される前記画像の明るさに応じて前記第２の駆動電力を増減させる、光源制御方法。
【請求項１０】
請求項９に記載の光源制御方法において、
前記第２の駆動電力を増減させることは、
前記画像信号に示される画像の明るさが、所定の閾値未満である場合には、前記第２の駆動電力を、前記明るさが前記所定の閾値以上のときに比べて低下させる、ことを含む、光源制御方法。
【請求項１１】
複数の色の光源として、前記各色ごとに設けられた第１および第２の発光素子を含み、色光を出射する複数の発光手段と、前記発光手段から出射された各色光を画像信号に基づいて光変調する複数の変調手段と、前記光変調された各色光を合成する合成手段と、前記合成された光を画像として投写する投写手段と、を含む投写型表示装置における光源制御方法であって、
外部電源に基づいて電源電力を生成し、
前記外部電源を用いて電力を蓄積し、前記蓄積された蓄積電力を放電し、
前記電源電力に基づいて、前記第１の発光素子を発光させるための第１の駆動電力を生成し、前記第１の駆動電力を前記第１の発光素子に供給し、
前記第１の駆動電力に応じて前記第１の発光素子から各色光が出射され、
前記蓄積電力に基づいて、前記第２の発光素子を発光させるための第２の駆動電力を生成し、前記第２の駆動電力を前記第２の発光素子に供給し、
前記第２の駆動電力に応じて前記第２の発光素子から各色光が出射され、
前記画像信号に示される、投写される前記画像の明るさに応じて前記第２の駆動電力を増減させる、光源制御方法。
【請求項１２】
請求項１１に記載の光源制御方法において、
前記第２の駆動電力を増減させることは、
前記画像信号に示される画像の明るさが、所定の閾値未満である場合には、前記第２の駆動電力を、前記明るさが前記所定の閾値以上のときに比べて低下させる、ことを含む、光源制御方法。
【発明の詳細な説明】
【技術分野】
【０００１】
本発明は、投写型表示装置、投写型表示装置の光源制御装置および光源制御方法に関する。
【背景技術】
【０００２】
スクリーンに画像を投写する投写型表示装置（例えば、プロジェクタなど）の開発が行われている。投写型表示装置は、小さな装置によって大きな画像を表示できるという利点がある。このため、投写型表示装置は、装置の運搬性、設置スペースおよび、製造コストの点で優れている。【０００３】
高輝度用途の投写型表示装置では、高圧水銀ランプなどの放電型ランプから出射された白色光が、ダイクロイックミラーによって、赤（Ｒ）、緑（Ｇ）、青（Ｂ）の色光に分解される。分解された各色光は、それぞれの色に対応する透過型液晶表示装置などの空間光変調装置を透過して、クロスダイクロイックプリズムによって合成され、投写レンズを通してスクリーンに画像として投写される。【０００４】
一方、近年では、１画像フレーム時間あたりの平均光量（以下「光量」と称する。）の大きな発光ダイオード（以下「ＬＥＤ（Light  Emitting  Diode）」と称する。）の開発が行われている。このＬＥＤは、輝度寿命が長く、環境に有害な水銀などの物質を含んでいないことから、投写型表示装置の光源としての利用が盛んに考えられている。【０００５】
しかしながら、ＬＥＤの発光効率は、高圧水銀ランプに対して約４０％とまだ低い。このため、ＬＥＤを用いて、高圧水銀ランプと同じ光量で画像を投写させる場合には、２倍以上の投入電力をＬＥＤに供給しなければならない。例えば、投入電力が２００Ｗの高圧水銀ランプと同じ光量で画像を投写させる場合には、ＬＥＤへの投入電力は、５００Ｗ（＝２００／０．４）となる。【０００６】
また、ＬＥＤは、発光効率が高くないことに加えて、ＬＥＤ内の接合部の温度上昇に伴い、ＬＥＤから発生する光量が変化する特性を有している。【０００７】
図１は、赤色、緑色、青色の光を発するＬＥＤの光量の温度依存性を例示する図である。図１（ａ）は、赤色の光を発するＬＥＤの光量の温度依存性を示す図である。図１（ｂ）は、緑色の光を発するＬＥＤの光量の温度依存性を示す図である。図１（ｃ）は、青色の光を発するＬＥＤの光量の温度依存性を示す図である。【０００８】
図１（ａ）、（ｂ）および（ｃ）に示すように、各色のＬＥＤは、接合部の温度上昇に伴い、発生する光量が変化する。また、ＬＥＤの構造および材料が、発光色ごとに異なるため、発光色ごとに光量の温度依存性が異なる。このため、高輝度用途の投写型表示装置の光源としてＬＥＤを使用する場合には、ＬＥＤにおける接合部の温度上昇を抑制するための冷却機を設ける必要がある。【０００９】
図２は、ペルチェ素子により構成される冷却機の特性例を示す図である。図２（ａ）には、冷却機の電流Ｉと吸熱量Ｑｃとの関係を示す吸熱量特性が示されている。また、図２（ｂ）には、冷却機の電流Ｉと電圧Ｖとの関係を示す電流電圧特性が示されている。【００１０】
図２（ａ）および（ｂ）に示すように、ＬＥＤへの投入電力を５００Ｗとし、温度上昇により光量の低下が最も大きな赤色（Ｒ）のＬＥＤに対し、図２（ａ）および（ｂ）に示された特性を有するペルチェ素子を使用する場合には、ペルチェ素子への投入電力は、約３７０Ｗとなる。なお、ペルチェ素子への投入電力の算出では、各色のＬＥＤへの投入電力の割合を、赤（Ｒ）＝３５％、緑（Ｇ）＝４５％、青（Ｂ）＝２０％とし、ＬＥＤへの投入電力のうち光に変換される電力の割合を１０％と仮定している。また、ペルチェ素子の放熱側と吸熱側との温度差をΔＴ＝３０℃としている。【００１１】
したがって、ＬＥＤを用いた投写型表示装置では、投入電力が２００Ｗの高圧水銀ランプと同じ光量で画像を投写させる場合、光源部および冷却部への投入電力が、高圧水銀ランプを用いる場合に比べて、６７０Ｗ（＝５００−２００＋３７０）も増加する。【００１２】
また、ＡＣ電源を用いて、光源部および冷却部に電力を供給する場合には、電圧変換に起因する電力損失が生じるため、光源部および冷却部への投入電力はさらに増加する。例えば、ＡＣ電源を直流電圧に変換するＡＣ−ＤＣ電圧変換部の電圧変換効率を８５％と仮定し、冷却機を駆動させる冷却駆動部、および、光源部を駆動させる光源駆動部の電圧変換効率をそれぞれ９０％と仮定すると、光源部および冷却部への投入電力の電力損失による増加分は、２０８Ｗ（＝３００×０．３１＋３７０×０．３１）となる。【００１３】
電力損失による投入電力の増加分を加えると、光源部および冷却部への投入電力は、高圧水銀ランプを用いた場合に比べて、８７８Ｗも増加する。よって、ＬＥＤを用いた投写型表示装置では、画像を投写する投写期間において消費される電力が、ＡＣ電源から供給される電力よりも大きくなり、ＡＣ電源による電力だけでは不足してしまう。このため、ＬＥＤを用いた投写型表示装置では、投写期間において不足する電力を補うことができるように、電力の供給能力が高い設備を備える必要があった。【００１４】
電力の供給能力を高める装置として、特許文献１には、蓄電装置を備える電源装置が記載されている。特許文献１に記載の電源装置は、商用ＡＣ電力を用いて定電圧を負荷に出力する第1電源と、蓄電装置の電力を負荷に出力する第２電源と、を備えている。【００１５】
特許文献１に記載の電源装置では、第1電源の出力と第２電源の出力とを並列に接続し、各電源からの電力の両方が負荷に同時に供給される。
【先行技術文献】
【特許文献】
【００１６】
【特許文献１】特開２００７−１４３３４０号公報
【発明の概要】
【発明が解決しようとする課題】
【００１７】
特許文献１に記載の電源装置では、第1電源の出力と第２電源の出力とを並列に接続し、各電源からの電力の両方が負荷に同時に供給されるので、第１電源のみの供給で十分に供給が充足される状態であっても、蓄電装置の電力は常に消費されることとなり、蓄電装置による電力供給時間は短いものとなっている。【００１８】
電力の供給時間をより長くするためには、蓄電装置の容量を大きくすることが考えられるが、蓄電装置のコストまたは容積などが増加するという問題がある。【００１９】
例えば、ＬＥＤを用いた投写型表示装置において、複数の蓄電池により蓄電装置を構成する場合、１個あたり９．２５Ｗｈ（＝３．７Ｖ×２．５Ａｈ）、４７ｇの蓄電池を用いて、蓄電装置から、５００Ｗの投入電力のうち半分の２５０ＷをＬＥＤに供給するときは、１時間あたり、約２７個（＝２５０／９．２５）の蓄電池が必要となる。したがって、６時間使用する場合には、約１６２個の蓄電池が必要となり、蓄電池の総重量は、７６１４ｇ（＝２７×６×４７）となる。【００２０】
よって、ＬＥＤを用いた投写型表示装置では、数時間程度、画像を投写するだけでも、蓄電装置のコスト、容積および重量が大きくなってしまうという課題があった。【００２１】
本発明の目的は、蓄電装置による電力供給時間をより長いものとする投写型表示装置の光源制御装置および投写型表示装置を提供することにある。
【課題を解決するための手段】
【００２２】
本発明の投写型表示装置の光源制御装置は、複数の色の光源として、前記各色ごとに設けられた第１および第２の発光素子を含み、各色光を出射する複数の発光手段と、前記発光手段から出射された各色光を画像信号に基づいて光変調する複数の変調手段と、前記光変調された各色光を合成する合成手段と、前記合成された光を画像として投写する投写手段と、を有する投写型表示装置の光源制御装置であって、前記第１の発光素子に駆動電力を供給する第１の駆動手段と、前記第２の発光素子に駆動電力を供給する第２の駆動手段と、外部電源を受けて、前記第１の駆動手段に電力を供給する電源手段と、前記外部電源を用いて電力を蓄積し、前記蓄積された電力を前記第２の駆動手段に供給する蓄電手段と、前記画像信号に示される、投写される前記画像の明るさに応じて前記第２の駆動手段により出力される第２の駆動電力を増減させる制御手段と、を備える。【００２３】
本発明の投写型表示装置は、複数の色の光源から出射された各色光を画像信号に基づいて光変調する複数の変調手段と、前記光変調された各色光を合成する合成手段と、前記合成された光を画像として投写する投写手段と、を有する投写型表示装置であって、前記光源として、前記各色ごとに設けられた第１および第２の発光素子を含み、色光を出射する複数の発光手段と、前記第１の発光素子に駆動電力を供給する第１の駆動手段と、前記第２の発光素子に駆動電力を供給する第２の駆動手段と、外部電源を受けて、前記第１の駆動手段に電力を供給する電源手段と、前記外部電源を用いて電力を蓄積し、前記蓄積された電力を前記第２の駆動手段に供給する蓄電手段と、前記画像信号に示される、投写される前記画像の明るさに応じて前記第２の駆動手段により出力される第２の駆動電力を増減させる制御手段と、を備える。【００２４】
本発明の光源制御方法は、複数の色の光源として、前記各色ごとに設けられた第１および第２の発光素子を含み、各色光を出射する複数の発光手段と、前記発光手段から出射された各色光を画像信号に基づいて光変調する複数の変調手段と、前記光変調された各色光を合成する合成手段と、前記合成された光を画像として投写する投写手段と、を含む投写型表示装置における光源制御装置の光源制御方法であって、外部電源に基づいて電源電力を生成し、前記外部電源を用いて電力を蓄積し、前記蓄積された蓄積電力を放電し、前記電源電力に基づいて、前記第１の発光素子を発光させるための第１の駆動電力を生成し、前記第１の駆動電力を前記第１の発光素子に供給し、前記蓄積電力に基づいて、前記第２の発光素子を発光させるための第２の駆動電力を生成し、前記第２の駆動電力を前記第２の発光素子に供給し、前記画像信号に示される、投写される前記画像の明るさに応じて前記第２の駆動電力を増減させる。【００２５】
本発明の光源制御方法は、複数の色の光源として、前記各色ごとに設けられた第１および第２の発光素子を含み、色光を出射する複数の発光手段と、前記発光手段から出射された各色光を画像信号に基づいて光変調する複数の変調手段と、前記光変調された各色光を合成する合成手段と、前記合成された光を画像として投写する投写手段と、を含む投写型表示装置における光源制御方法であって、外部電源に基づいて電源電力を生成し、前記外部電源を用いて電力を蓄積し、前記蓄積された蓄積電力を放電し、前記電源電力に基づいて、前記第１の発光素子を発光させるための第１の駆動電力を生成し、前記第１の駆動電力を前記第１の発光素子に供給し、前記第１の駆動電力に応じて前記第１の発光素子から各色光が出射され、前記蓄積電力に基づいて、前記第２の発光素子を発光させるための第２の駆動電力を生成し、前記第２の駆動電力を前記第２の発光素子に供給し、前記第２の駆動電力に応じて前記第２の発光素子から各色光が出射され、前記画像信号に示される、投写される前記画像の明るさに応じて前記第２の駆動電力を増減させる。
【発明の効果】
【００２６】
本発明によれば、同じ容量の蓄電装置による電力供給をより長く行うことができるので、蓄電装置を用いた投写型表示装置の蓄電装置の容積および重量を抑制することができ、製造コストを低減することが可能になる。
【図面の簡単な説明】
【００２７】
【図１】ＬＥＤの発光色ごとの光量の温度依存性を示す図である。
【図２】ペルチェ素子により構成される冷却機の特性例を示す図である。
【図３】本発明の一実施形態における投写型表示装置の構成を示すブロック図である。
【図４】電力供給元切換部２０８の構成例を示すブロック図である。
【図５】暗いシーンの画像と明るいシーンの画像とを表示する場合における光源部４０１Ｒ、４０１Ｇおよび４０１Ｂと光源部４０２Ｒ、４０２Ｇおよび４０２Ｂに供給される駆動電力に関する図である。
【図６】充電モードにおける制御部２３０の制御方法の処理手順例を示すフローチャートである。
【図７】省電力モードにおける制御部２３０の制御方法の処理手順例を示すフローチャートである。
【図８ａ】通常表示モードにおける制御部２３０の制御方法の初期動作を示すフローチャートである。
【図８ｂ】通常表示モードにおける処理Ａおよび処理Ｂの処理手順例を示すフローチャートである。
【図８ｃ】通常表示モードにおける処理Ｃおよび処理Ｄの処理手順例を示すフローチャートである。
【発明を実施するための形態】
【００２８】
以下、本発明の一実施形態について図面を参照して説明する。
【００２９】
図３は、本発明の実施形態における投写型表示装置２の構成を示すブロック図である。
【００３０】
投写型表示装置２は、光源制御装置２００と、複数の発光部４００Ｒ、４００Ｇおよび４００Ｂと、冷却部５０１Ｒ、５０１Ｇおよび５０１Ｂと、複数の空間光変調部６０１Ｒ、６０１Ｇおよび６０１Ｂと、クロスダイクロイックプリズム７０１と、投写レンズ７０２と、を備える。
【００３１】
光源制御装置２００は、接続部２０１と、スイッチ部２０２と、ＡＣ−ＤＣ電圧変換部２０３と、充電部２０４と、蓄電部２０５と、残容量検出部２０６と、制御駆動部２０７と、電力供給元切換部２０８と、を備える。
【００３２】
また、光源制御装置２００は、第１の光源駆動部２１１Ｒ、２１１Ｇおよび２１１Ｂと、第２の光源駆動部２１２Ｒ、２１２Ｇおよび２１２Ｂと、を備える。また、光源制御装置２００は、冷却駆動部２１３Ｒ、２１３Ｇおよび２１３Ｂと、画像信号処理駆動部２１４と、空間光変調信号生成駆動部２１５と、を備える。
【００３３】
また、光源制御装置２００は、画像信号処理部２２１と、空間光変調信号生成部２２２と、残容量時間算出部２２３と、時間計測部２２４と、動作モード表示部２２５と、記憶部２２６と、制御部２３０と、を備える。
【００３４】
また、発光部４００Ｒは、第１の光源部４０１Ｒと第２の光源部４０２Ｒとを備える。発光部４００Ｇは、第１の光源部４０１Ｇと第２の光源部４０２Ｇとを備える。発光部４００Ｂは、第１の光源部４０１Ｂと第２の光源部４０２Ｂとを備える。
【００３５】
発光部４００Ｒ、４００Ｇおよび４００Ｂの各々は、一般的に発光手段と呼ぶことができる。
【００３６】
発光部４００Ｒは、赤色（Ｒ）の光源として色光を出射する。発光部４００Ｇは、緑色（Ｇ）の光源として色光を出射する。発光部４００Ｂは、青色（Ｂ）の光源として色光を出射する。
【００３７】
第１の光源部４０１Ｒ、４０１Ｇおよび４０１Ｂと、第２の光源部４０２Ｒ、４０２Ｇおよび４０２Ｂとは、一般的に第１または第２の発光素子と呼ぶことができる。
【００３８】
光源部４０１Ｒおよび４０２Ｒは、赤色（Ｒ）の色光をそれぞれ出射する。光源部４０１Ｇおよび４０２Ｇは、緑色（Ｇ）の色光をそれぞれ出射する。光源部４０１Ｂおよび４０２Ｂは、青色（Ｂ）の色光をそれぞれ出射する。
【００３９】
光源部４０１Ｒ、４０１Ｇ、４０１Ｂ、４０２Ｒ、４０２Ｇおよび４０２Ｂは、半導体からなる発光素子であり、例えば、発光ダイオードにより実現される。また、光源部４０１Ｒは、光源駆動部２１１Ｒから供給される駆動電力を受けて発光する。光源部４０１Ｇは、光源駆動部２１１Ｇから供給される駆動電力を受けて発光する。光源部４０１Ｂは、光源駆動部２１１Ｂから供給される駆動電力を受けて発光する。
【００４０】
また、光源部４０２Ｒは、光源駆動部２１２Ｒから供給される駆動電力を受けて発光する。光源部４０２Ｇは、光源駆動部２１２Ｇから供給される駆動電力を受けて発光する。光源部４０２Ｂは、光源駆動部２１２Ｂから供給される駆動電力を受けて発光する。
【００４１】
また、光源部４０１Ｒ、４０１Ｇ、４０１Ｂ、４０２Ｒ、４０２Ｇおよび４０２Ｂの各々は、駆動電力が大きくなるにつれて、光量が大きくなる。
【００４２】
冷却部５０１Ｒ、５０１Ｇおよび５０１Ｂの各々は、一般的に冷却手段と呼ぶことができる。
【００４３】
冷却部５０１Ｒは、発光部４００Ｒを冷却する冷却機である。冷却部５０１Ｇは、発光部４００Ｇを冷却する冷却機である。冷却部５０１Ｂは、発光部４００Ｂを冷却する冷却機である。冷却部５０１Ｒ、５０１Ｇおよび５０１Ｂは、光源部４０１Ｒ、４０１Ｇ、４０１Ｂ、４０２Ｒ、４０２Ｇおよび４０２Ｂを構成するＬＥＤの接合部における温度上昇によって生じる光量の低下を抑制する役割を果たす。冷却部５０１Ｒ、５０１Ｇおよび５０１Ｂは、例えば、ペルチェ素子により実現される。
【００４４】
空間光変調部６０１Ｒ、６０１Ｇおよび６０１Ｂの各々は、一般的に変調手段と呼ぶことができる。
【００４５】
空間光変調部６０１Ｒは、発光部４００Ｒから出射された色光を、空間光変調信号生成部２２２からの信号に基づいて光変調（空間光変調）する。また、空間光変調部６０１Ｇは、発光部４００Ｇから出射された色光を、空間光変調信号生成部２２２からの信号に基づいて光変調する。また、空間光変調部６０１Ｂは、発光部４００Ｂから出射された色光を、空間光変調信号生成部２２２からの信号に基づいて光変調する。
【００４６】
空間光変調部６０１Ｒ、６０１Ｇおよび６０１Ｂは、例えば、透過型液晶表示装置、反射型液晶表示装置（Liquid  Crystal  On  Silicon：ＬＣＯＳ）、ＤＭＤ（Digital  Micromirror  Device）やＧＬＶ（Grating  Light  Valve）などの空間光変調装置により実現される。
【００４７】
クロスダイクロイックプリズム７０１は、一般的に合成手段と呼ぶことができる。
【００４８】
クロスダイクロイックプリズム７０１は、空間光変調部６０１Ｒ、６０１Ｇおよび６０１Ｂによって、光変調された各色光を合成する。
【００４９】
投写レンズ７０２は、一般的に投写手段と呼ぶことができる。
【００５０】
投写レンズ７０２は、クロスダイクロイックプリズム７０１によって合成された光を、スクリーンに画像として投写する。
【００５１】
接続部２０１は、外部の商用ＡＣ電源回路と投写型表示装置２との間を接続する。すなわち、接続部２０１は、商用ＡＣ電源（外部電源）から供給される交流の電源電圧を、投写型表示装置２に供給する。接続部２０１は、投写型表示装置２の運搬性を向上させるため、例えば、着脱可能なコンタクトおよびケーブルにより構成される。接続部２０１は、電源電圧を、スイッチ部２０２を介して、ＡＣ−ＤＣ電圧変換部２０３に供給する。
【００５２】
スイッチ部２０２は、制御部２３０の制御に従って、接続部２０１とＡＣ−ＤＣ電圧変換部２０３との間を接続（オン状態）または切断（オフ状態）する。
【００５３】
ＡＣ−ＤＣ電圧変換部２０３は、一般的に電源手段と呼ぶことができる。
【００５４】
ＡＣ−ＤＣ電圧変換部２０３は、外部電源を受けて、電力供給元切換部２０８を介して、光源駆動部２１１Ｒ、２１１Ｇおよび２１１Ｂ、または、光源駆動部２１２Ｒ、２１２Ｇおよび２１２Ｂのうち、一方の光源駆動部に電力を供給する電力供給元である。
【００５５】
本実施形態では、ＡＣ−ＤＣ電圧変換部２０３は、接続部２０１から供給される交流の電源電圧を、直流電圧に変換する。また、ＡＣ−ＤＣ電圧変換部２０３は、変換された直流電圧を、電力供給元切換部２０８を介して、光源駆動部２１１Ｒ、２１１Ｇおよび２１１Ｂ、または、光源駆動部２１２Ｒ、２１２Ｇおよび２１２Ｂのうち一方の光源駆動部に供給する。
【００５６】
また、ＡＣ−ＤＣ電圧変換部２０３は、変換された直流電圧を、電力供給元切換部２０８を介して、冷却駆動部２１３Ｒ、２１３Ｇおよび２１３Ｂと、画像信号処理駆動部２１４と、空間光変調信号生成駆動部２１５と、に供給する。また、ＡＣ−ＤＣ電圧変換部２０３は、変換された直流電圧を、充電部２０４に供給する。
【００５７】
充電部２０４は、制御部２３０の制御に従って、ＡＣ−ＤＣ電圧変換部２０３からの直流電圧を受けて、蓄電部２０５を充電する。すなわち、充電部２０４は、蓄電部２０５に電力を蓄積する。
【００５８】
蓄電部２０５は、一般的に蓄電手段と呼ぶことができる。
【００５９】
蓄電部２０５は、外部電源を用いて電力を蓄積し、その蓄積された電力を、光源駆動部２１１Ｒ、２１１Ｇおよび２１１Ｂ、または、光源駆動部２１２Ｒ、２１２Ｇおよび２１２Ｂのうち他方の光源駆動部に供給する電力供給元である。蓄電部２０５は、例えば、複数の蓄電池により構成される。蓄電池としては、エネルギー密度が高く、自己放電による容量の低下が少なく、かつ、小型で軽量な蓄電池が用いられる。例えば、蓄電池としては、リチウムイオン電池（Li-ion電池）が用いられてもよい。
【００６０】
本実施形態では、蓄電部２０５は、電荷の蓄積によって生じる直流の出力電圧を、電力供給元切換部２０８を介して、光源駆動部２１１Ｒ、２１１Ｇおよび２１１Ｂ、または、光源駆動部２１２Ｒ、２１２Ｇおよび２１２Ｂのうち、他方の光源駆動部に供給する。また、蓄電部２０５は、蓄電部２０５の出力電圧を、残容量検出部２０６および制御駆動部２０７に供給する。
【００６１】
なお、ＡＣ−ＤＣ電圧変換部２０３および蓄電部２０５の出力電圧値は、光源駆動部２１１Ｒ、２１１Ｇおよび２１１Ｂと、２１２Ｒ、２１２Ｇおよび２１２Ｂと、冷却駆動部２１３Ｒ、２１３Ｇおよび２１３Ｂと、画像信号処理駆動部２１４と、空間光変調信号生成駆動部２１５と、の動作保証範囲内であれば、同じ値でなくてもよい。
【００６２】
残容量検出部２０６は、制御部２３０の制御に従って、蓄電部２０５からの出力を用いて、蓄電部２０５の残容量を検出する。また、残容量検出部２０６は、その検出結果を、制御部２３０を介して記憶部２２６に記憶する。
【００６３】
制御駆動部２０７は、蓄電部２０５から供給される電力を受けて、制御部２３０を駆動させるための電力を生成する。制御駆動部２０７は、その生成された電力を、制御部２３０に供給する。
【００６４】
電力供給元切換部２０８は、一般的に切換手段と呼ぶことができる。
【００６５】
電力供給元切換部２０８は、制御部２３０の制御によって、接続状態を、ＡＣ−ＤＣ電圧変換部２０３から光源駆動部２１１Ｒ、２１１Ｇおよび２１１Ｂに電力が供給されるとともに、蓄電部２０５から光源駆動部２１２Ｒ、２１２Ｇおよび２１２Ｂに電力が供給される状態（以下「第１の接続状態」と称する。）に切り換える。
【００６６】
また、電力供給元切換部２０８は、制御部２３０の制御によって、接続状態を、ＡＣ−ＤＣ電圧変換部２０３から光源駆動部２１２Ｒ、２１２Ｇおよび２１２Ｂに電力が供給されるとともに、蓄電部２０５から光源駆動部２１１Ｒ、２１１Ｇおよび２１１Ｂに電力が供給される状態（以下「第２の接続状態」と称する。）に切り換える。
【００６７】
電力供給元切換部２０８は、例えば、一定の時間間隔または条件に基づいて、第１の接続状態と第２の接続状態とを交互に切り換える。
【００６８】
電力供給元切換部２０８は、ＡＣ−ＤＣ電圧変換部２０３および蓄電部２０５のうち一方の電力供給元と、光源駆動部２１１Ｒ、２１１Ｇおよび２１１Ｂと、の間を接続する。また、電力供給元切換部２０８は、ＡＣ−ＤＣ電圧変換部２０３および蓄電部２０５のうち、他方の電力供給元と、光源駆動部２１２Ｒ、２１２Ｇおよび２１２Ｂと、の間を接続する。
【００６９】
光源駆動部２１１Ｒ、２１１Ｇおよび２１１Ｂは、一般的に第１または第２の駆動手段と呼ぶことができる。光源駆動部２１２Ｒ、２１２Ｇおよび２１２Ｂは、一般的に第２または第１の駆動手段と呼ぶことができる。
【００７０】
光源駆動部２１１Ｒ、２１１Ｇおよび２１１Ｂは、電力供給元切換部２０８を介して、ＡＣ−ＤＣ電圧変換部２０３または蓄電部２０５から電力を受ける。また、光源駆動部２１１Ｒは、光源部４０１Ｒを発光させるための駆動電力を生成する。光源駆動部２１１Ｇは、光源部４０１Ｇを発光させるための駆動電力を生成する。光源駆動部２１１Ｂは、光源部４０１Ｂを発光させるための駆動電力を生成する。
【００７１】
また、光源駆動部２１１Ｒは、光源部４０１Ｒに駆動電力を供給する。光源駆動部２１１Ｇは、光源部４０１Ｇに駆動電力を供給する。光源駆動部２１１Ｂは、光源部４０１Ｂに駆動電力を供給する。
【００７２】
光源駆動部２１２Ｒ、２１２Ｇおよび２１２Ｂは、電力供給元切換部２０８を介して、蓄電部２０５またはＡＣ−ＤＣ電圧変換部２０３から電力を受ける。
【００７３】
また、光源駆動部２１２Ｒは、光源部４０２Ｒを発光させるための駆動電力を生成する。光源駆動部２１２Ｇは、光源部４０２Ｇを発光させるための駆動電力を生成する。光源駆動部２１２Ｂは、光源部４０２Ｂを発光させるための駆動電力を生成する。
【００７４】
また、光源駆動部２１２Ｒは、光源部４０２Ｒに駆動電力を供給する。光源駆動部２１２Ｇは、光源部４０２Ｇに駆動電力を供給する。光源駆動部２１２Ｂは、光源部４０２Ｂに駆動電力を供給する。
【００７５】
冷却駆動部２１３Ｒは、制御部２３０の制御に従って、冷却部５０１Ｒに電力を供給する。冷却駆動部２１３Ｇは、制御部２３０の制御に従って、冷却部５０１Ｇに電力を供給する。冷却駆動部２１３Ｂは、制御部２３０の制御に従って、冷却部５０１Ｂに電力を供給する。
【００７６】
画像信号処理駆動部２１４は、画像信号処理部２２１を駆動させるための電力を生成する。画像信号処理駆動部２１４は、その生成された電力を、画像信号処理部２２１に供給する。
【００７７】
空間光変調信号生成駆動部２１５は、空間光変調信号生成部２２２を駆動させるための電力を生成する。空間光変調信号生成駆動部２１５は、その生成された電力を、空間光変調信号生成部２２２に供給する。
【００７８】
画像信号処理部２２１は、外部から画像信号を受け付けると、受け付けた画像信号に示される画像の明るさを判定する。画像信号処理部２２１は、例えば、画像信号に示される画像の明るさが複数の段階のいずれかであるかを判定する。画像信号処理部２２１は、判定結果を、制御部２３０に供給する。
【００７９】
また、画像信号処理部２２１は、受け付けた画像信号に所定の画像処理を施し、その処理が施された画像信号を、空間光変調信号生成部２２２に供給する。
【００８０】
また、画像信号処理部２２１は、外部から画像信号を受け付けると、画像信号の入力があった旨を示す情報（以下「画像入力情報」と称する。）を生成する。画像入力情報は、画像信号処理部２２１に保持される。また、画像信号処理部２２１は、制御部２３０の指示に従って、画像入力情報を、制御部２３０に出力する。
【００８１】
空間光変調信号生成部２２２は、画像信号処理部２２１からの画像信号に基づいて、空間光変調信号を生成する。また、空間光変調信号生成部２２２は、生成された空間光変調信号を、空間光変調部６０１に供給する。
【００８２】
残容量時間算出部２２３は、残容量検出部２０６からの検出結果に基づいて、蓄電部２０５の残容量時間を算出する。また、残容量時間算出部２２３は、残容量時間を、制御部２３０を介して記憶部２２６に記憶する。また、残容量時間算出部２２３は、残容量時間を算出するたびに、記憶部２２６に記憶された残容量時間を最新のものに更新する。
【００８３】
時間計測部２２４は、制御部２３０の制御に従って、光源部４０１Ｒ、４０１Ｇおよび４０１Ｂの発光時間（以下「第１の使用時間」と称する。）と、光源部４０２Ｒ、４０２Ｇおよび４０２Ｂの発光時間（以下「第２の使用時間」と称する。）と、をそれぞれ計測する。また、時間計測部２２４は、その計測結果を、制御部２３０を介して、記憶部２２６に記憶する。
【００８４】
制御部２３０は、一般的に制御手段と呼ぶことができる。
【００８５】
制御部２３０は、画像信号に示される、スクリーンに投写される画像の明るさに応じて、蓄電部２０５から電力を受けている光源駆動部によって出力される駆動電力（以下「蓄電側の駆動電力」と称する。）を増減させる。なお、蓄電側の駆動電力は、一般的に第２の駆動電力と呼ぶことができる。
【００８６】
本実施形態では、制御部２３０は、画像信号処理部２２１による判定結果が、予め定められた閾値（以下「明るさ閾値」と称する。）未満であるか否かを判断する。
【００８７】
また、制御部２３０は、判定結果が、明るさ閾値未満である場合には、蓄電側の駆動電力を、判定結果が明るさ閾値以上であるときに比べて低下させる。すなわち、制御部２３０は、画像信号に示される画像の明るさが、所定の閾値未満である場合には、蓄電側の駆動電力を、画像信号に示される画像の明るさが所定の閾値以上のときに比べて低下させる。
【００８８】
また、制御部２３０は、蓄電側の駆動電力が、最小レベルとなったときは、ＡＣ−ＤＣ電圧変換部２０３から電力を受けている光源駆動部によって出力される駆動電力（以下「電源側の駆動電力」と称する。）を低下させるようにしてもよい。
【００８９】
また、制御部２３０は、スクリーンに投写される画像の明るさと白色とが、予め設定された値になるように、光源部４０１Ｒ、４０１Ｇ、４０１Ｂ、４０２Ｒ、４０２Ｇおよび４０２Ｂにそれぞれ供給される駆動電力の大きさを制御する。また、制御部２３０は、光源部４０１Ｒ、４０１Ｇおよび４０１Ｂ、４０２Ｒ、４０２Ｇおよび４０２Ｂの接合部の温度が、予め設定された値になるように、冷却部５０１Ｒ、５０１Ｇおよび５０１Ｂに供給される電力を制御する。
【００９０】
また、制御部２３０は、「通常表示モード」、「充電モード」および「省電力モード」の３つの動作モードの処理を行う。
【００９１】
通常表示モードでは、制御部２３０は、画像信号処理部２２１から画像入力情報を受け付けると、残容量検出部２０６による検出結果と、蓄電部２０５の充電の要否を判断するための閾値（以下、「目標値Ｃ」と称する。）と、を比較する。
【００９２】
制御部２３０は、検出結果が、目標値Ｃよりも大きい場合には、記憶部２２６に記憶された第１の使用時間と第２使用時間とを比較する。制御部２３０は、第１の使用時間が、第２の使用時間よりも長い場合には、光源駆動部２１１Ｒ、２１１Ｇおよび２１１Ｂの電力供給元を蓄電部２０５に切り換えるとともに、光源駆動部２１２Ｒ、２１２Ｇおよび２１２Ｂの電力供給元をＡＣ−ＤＣ電圧変換部２０３に切り換えるように電力供給元切換部２０８を制御する。
【００９３】
一方、制御部２３０は、第１の使用時間が、第２の使用時間よりも短い場合には、光源駆動部２１１Ｒ、２１１Ｇおよび２１１Ｂの電力供給元をＡＣ−ＤＣ電圧変換部２０３に切り換えるとともに、光源駆動部２１２Ｒ、２１２Ｇおよび２１２Ｂの電力供給元を蓄電部２０５に切り換えるように電力供給元切換部２０８を制御する。
【００９４】
また、制御部２３０は、画像信号処理部２２１による判定結果が、明るさ閾値未満である場合には、画像が暗いと判断し、蓄電側の駆動電力を、判定結果が明るさ閾値以上のときの蓄電側の駆動電力と比べて低下させる。
【００９５】
本実施形態では、制御部２３０は、画像が明るいと判断した場合には、蓄電側の駆動電力と、電源側の駆動電力と、が互いに最大レベルとなるように制御する。一方、制御部２３０は、画像が暗いと判断した場合には、蓄電側の駆動電力のみが最小レベルとなるように制御する。また、制御部２３０は、時間計測部２２４によって計測された第１の使用時間および第２の使用時間を、記憶部２２６にそれぞれ記憶する。
【００９６】
また、制御部２３０は、画像信号処理部２２１から画像入力情報が出力されない場合には、残容量検出部２０６による検出結果と、目標値Ｃよりも小さい値である閾値（以下「目標値Ｂ」と称する。）と、を比較する。
【００９７】
制御部２３０は、検出結果が目標値Ｂよりも大きい場合において、使用者から、充電モードに移行するためのコマンド（以下「充電モード移行コマンド」と称する。）を受け付けたときは、充電モードに移行する。一方、制御部２３０は、検出結果が、目標値Ｂよりも大きい場合において、充電モード移行コマンドを受け付けなければ、省電力モードに移行する。
【００９８】
次に、省電力モードでは、制御部２３０は、画像信号処理部２２１から画像入力情報を受け付けると、通常表示モードに移行する。また、制御部２３０は、残容量検出部２０６による検出結果が、目標値Ｂ以下である場合には、充電モードに移行する。また、制御部２３０は、検出結果が、目標値Ｃ以下であり、かつ、目標値Ｂよりも大きい場合に、充電モード移行コマンドを受け付けたときは、充電モードに移行する。
【００９９】
次に、充電モードでは、制御部２３０は、画像信号処理部２２１から画像入力情報を受け付けるまでの間、充電部２０４を介して蓄電部２０５を充電する。また、制御部２３０は、残容量検出部２０６による検出結果が、予め定められた閾値であって充電の上限値を示す閾値（以下「目標値Ａ」と称する。）に達した場合には、省電力モードに移行する。また、制御部２３０は、画像信号処理部２２１から画像入力情報を受け付けると、通常表示モードに移行する。
【０１００】
動作モード表示部２２５は、制御部２３０の制御に従って、「通常表示モード」、「充電モード」および「省電力モード」のうちいずれかの動作モードを表示する。動作モード表示部２２５は、例えば、ＬＣＤ（Liquid  Crystal  Display）により実現される。
【０１０１】
記憶部２２６は、目標値Ａ、目標値Ｂ、および目標値Ｃと、残容量検出部２０６からの検出結果（残容量）と、残容量時間算出部２２３からの残容量時間と、時間計測部２２４からの第１および第２の使用時間と、明るさ閾値と、を記憶する。
【０１０２】
なお、本実施形態では、投写型表示装置２が、電力供給元切換部２０８および冷却部５０１Ｒ、５０１Ｇおよび５０１Ｂを備える例について説明したが、これに限られるものではない。投写型表示装置２は、例えば、光源制御装置２００、発光部４００Ｒ、４００Ｇおよび４００Ｂ、空間光変調部６０１Ｒ、６０１Ｇおよび６０１Ｂ、クロスダイクロイックプリズム７０１および投写レンズ７０２のみにより構成され、光源制御装置２００は、ＡＣ−ＤＣ電圧変換部２０３、蓄電部２０５、光源駆動部２１１Ｒ、２１１Ｇおよび２１１Ｂ、光源駆動部２１２Ｒ、２１２Ｇおよび２１２Ｂ、画像信号処理部２２１および制御部２３０のみによって構成されてもよい。
【０１０３】
図４は、電力供給元切換部２０８の構成例を示すブロック図である。
【０１０４】
電力供給元切換部２０８は、１４個のスイッチ素子２０８−１から２０８−１４により構成される。スイッチ素子２０８−１から２０８−１４の各々は、オン状態の場合にスイッチ素子の両端の間を接続し、オフ状態の場合にスイッチ素子の両端の間を切断する。
【０１０５】
また、図４に示された光源駆動部２１１Ｒ、２１１Ｇ、２１１Ｂ、２１２Ｒ、２１２Ｇおよび２１２Ｂ、冷却駆動部２１３Ｒ、２１３Ｇおよび２１３Ｂ、画像信号処理駆動部２１４、空間光変調信号生成駆動部２１５、ＡＣ−ＤＣ電圧変換部２０３および蓄電部２０５は、図３と同様のものであるため、ここでの説明を省略する。
【０１０６】
スイッチ素子２０８−１から２０８−６は、制御部２３０の制御に従って、光源駆動部２１１Ｒ、２１１Ｇ、２１１Ｂ、２１２Ｒ、２１２Ｇおよび２１２Ｂと、スイッチ素子２０８−１３と、の間を接続または切断する。
【０１０７】
スイッチ素子２０８−７から２０８−１２は、制御部２３０の制御に従って、光源駆動部２１１Ｒ、２１１Ｇ、２１１Ｂ、２１２Ｒ、２１２Ｇおよび２１２Ｂと、スイッチ素子２０８−１４と、の間を接続または切断する。
【０１０８】
スイッチ素子２０８−１３は、制御部２３０の制御に従って、蓄電部２０５とスイッチ素子２０８−１から２０８−６との間を接続または切断する。
【０１０９】
スイッチ素子２０８−１４は、制御部２３０の制御に従って、スイッチ素子２０８−７から２０８−１２、冷却駆動部２１３Ｒ、２１３Ｇおよび２１３Ｂ、画像信号処理駆動部２１４および空間光変調信号生成駆動部２１５と、ＡＣ−ＤＣ電圧変換部２０３と、の間を接続または切断する。
【０１１０】
図５は、光源部４０１Ｒ、４０１Ｇおよび４０１Ｂと、光源部４０２Ｒ、４０２Ｇおよび４０２Ｂに供給される駆動電力に関する図である。
【０１１１】
図５（ａ）は、ＡＣ−ＤＣ電圧変換部２０３からの電力を光源部４０１Ｒ、４０１Ｇおよび４０１Ｂに供給するとともに、蓄電部２０５からの電力を光源部４０２Ｒ、４０２Ｇおよび４０２Ｂに供給する場合における光源点灯期間Ｄｕｔｙを例示する図である。図５（ｂ）は、蓄電部２０５からの電力を光源部４０１Ｒ、４０１Ｇおよび４０１Ｂに供給するとともに、ＡＣ−ＤＣ電圧変換部２０３からの電力を光源部４０２Ｒ、４０２Ｇおよび４０２Ｂに供給する場合における光源点灯期間Ｄｕｔｙを例示する図である。
【０１１２】
図５（ａ）および（ｂ）では、光源部４０１Ｒ、４０１Ｇ、４０１Ｂ、４０２Ｒ、４０２Ｇおよび４０２Ｂに供給される駆動電力の大きさが、光源点灯期間Ｄｕｔｙによって表現されており、駆動電力が大きくなるにつれて、光源点灯期間Ｄｕｔｙの割合が大きくなる。また、明るいシーン、および、暗いシーンの画像が投写される場合における光源点灯期間Ｄｕｔｙが色光ごとにそれぞれ示されている。
【０１１３】
本実施形態では、暗いシーンにおける光源部４０１Ｒ、４０１Ｇおよび４０１Ｂまたは４０２Ｒ、４０２Ｇおよび４０２Ｂの駆動電力は、明るいシーンに比べて半分としている。また、光源部４０１Ｒ、４０１Ｇおよび４０１Ｂの電力供給元と、光源部４０２Ｒ、４０２Ｇおよび４０２Ｂの電力供給元と、の切換えは、制御部２３０の制御によって、光源部４０１Ｒ、４０１Ｇおよび４０１Ｂの使用時間と、光源部４０２Ｒ、４０２Ｇおよび４０２Ｂの使用時間と、が同等となるように行われる。
【０１１４】
また、電力供給元の切換えは、通常表示モードにおいて定期的に行ってもよい。例えば、切換間隔を、画像表示に影響しない１ｋＨｚとする。あるいは、通常表示モードの期間には切換えを行わず、通常表示モードに移行するたびに、電力供給元を切り換えるようにしてもよい。
【０１１５】
図５（ａ）に示すように、明るいシーンの場合は、光源部４０１Ｒ、４０１Ｇおよび４０１Ｂと、光源部４０２Ｒ、４０２Ｇおよび４０２Ｂとの両者の光源点灯期間Ｄｕｔｙが１００％となる。一方、暗いシーンの場合は、蓄電部２０５から電力が供給される光源部４０２Ｒ、４０２Ｇおよび４０２Ｂの光源点灯期間Ｄｕｔｙのみが０％となる。
【０１１６】
図５（ｂ）に示すように、明るいシーンの場合は、光源部４０１Ｒ、４０１Ｇおよび４０１Ｂと、光源部４０２Ｒ、４０２Ｇおよび４０２Ｂと、の両者の光源点灯期間Ｄｕｔｙが１００％となる。一方、暗いシーンの場合は、蓄電部２０５から電力が供給される光源部４０１Ｒ、４０１Ｇおよび４０１Ｂの光源点灯期間Ｄｕｔｙのみが０％となる。
【０１１７】
次に、投写型表示装置２の動作について説明する。
【０１１８】
図６は、省電力モードにおける制御部２３０の制御方法の処理手順例を示すフローチャートである。
【０１１９】
まず、制御部２３０は、スイッチ部２０２および電力供給元切換部２０８におけるスイッチ素子２０８−１から２０８−１４をオフ状態にする（ステップＳ１０１）。制御部２３０が、スイッチ部２０２および電力供給元切換部２０８をオフ状態にすると、制御部２３０は、記憶部２２６に記憶された目標値Ａを読み出す（ステップＳ１０２）。
【０１２０】
制御部２３０が、記憶部２２６に記憶された目標値Ａを読み出すと、制御部２３０は、スイッチ部２０２をオン状態にする（ステップＳ１０３）。
【０１２１】
制御部２３０が、スイッチ部２０２をオン状態にすると、制御部２３０は、充電部２０４を介して、ＡＣ−ＤＣ電圧変換部２０３からの電力を蓄電部２０５に供給することによって、蓄電部２０５への電荷の蓄積を行う（ステップＳ１０４）。
【０１２２】
制御部２３０が、蓄電部２０５への電荷の蓄積を行うと、制御部２３０は、画像信号処理部２２１によって生成された画像入力情報の有無を確認する（ステップＳ１０５）。制御部２３０が、画像入力情報の有無を確認すると、制御部２３０は、画像入力情報が生成されていない場合には（ステップＳ１０６）、残容量検出部２０６を介して、蓄電部２０５の残容量を検出し、その検出結果Ｄを記憶部２２６に記憶する（ステップＳ１０７）。
【０１２３】
制御部２３０が、その検出結果Ｄを記憶部２２６に記憶すると、制御部２３０は、記憶部２２６に記憶された検出結果Ｄが、目標値Ａ以上であるか否かを判断する（ステップＳ１０８）。制御部２３０は、検出結果Ｄが、目標値Ａ未満である場合には、ステップＳ１０５に戻る。
【０１２４】
一方、制御部２３０は、検出結果Ｄが、目標値Ａ以上である場合には、充電部２０４を介して蓄電部２０５を充電する動作を停止する（ステップＳ１０９）。制御部２３０が、蓄電部２０５を充電する動作を停止すると、制御部２３０は、スイッチ部２０２をオフ状態にする（ステップＳ１１０）。
【０１２５】
制御部２３０が、スイッチ部２０２をオフ状態にすると、制御部２３０は、投写型表示装置２を省電力モードに移行させるための処理を実行する（ステップＳ１１１）。制御部２３０が、省電力モードに移行させるための処理を実行すると、制御部２３０は、投写型表示装置２が省電力モードである旨を示す表示を、動作モード表示部２２５に表示させる（ステップＳ１１２）。
【０１２６】
また、ステップＳ１０６において、制御部２３０は、画像入力情報が生成されている場合には、投写型表示装置２を通常表示モードに移行させるための処理を実行する（ステップＳ１１３）。制御部２３０が、通常表示モードに移行させるための処理を実行すると、制御部２３０は、投写型表示装置２が通常表示モードである旨を示す表示を、動作モード表示部２２５に表示させる（ステップＳ１１４）。
【０１２７】
ステップＳ１１２およびＳ１１４の処理が終了すると、充電モードにおける制御方法の処理手順が終了する。
【０１２８】
図７は、省電力モードにおける制御部２３０の制御方法の処理手順例を示すフローチャートである。
【０１２９】
まず、制御部２３０は、スイッチ部２０２および電力供給元切換部２０８におけるスイッチ素子２０８−１から２０８−１４をオフ状態にする（ステップＳ２０１）。制御部２３０が、スイッチ部２０２および電力供給元切換部２０８をオフ状態にすると、制御部２３０は、記憶部２２６に記憶された目標値Ｂおよび目標値Ｃを読み出す（ステップＳ２０２）。
【０１３０】
制御部２３０が、目標値Ｂおよび目標値Ｃを読み出すと、制御部２３０は、残容量検出部２０６を介して、蓄電部２０５の残容量を検出し、その検出結果Ｄを記憶部２２６に記憶する（ステップＳ２０３）。
【０１３１】
制御部２３０が、検出結果Ｄを記憶部２２６に記憶すると、制御部２３０は、検出結果Ｄが、目標値Ｃ以下であるか否かを判断する（ステップＳ２０４）。制御部２３０は、検出結果Ｄが、目標値Ｃよりも大きい場合には、画像信号処理部２２１によって生成される画像入力情報の有無を確認する（ステップＳ２０５）。
【０１３２】
制御部２３０は、画像信号処理部２２１に画像入力情報がない場合には（ステップＳ２０６）、ステップＳ２０３に戻る。一方、制御部２３０は、画像入力情報がある場合には（ステップＳ２０６）、投写型表示装置２を通常表示モードに移行させるための処理を実行する（ステップＳ２０７）。
【０１３３】
制御部２３０が、通常表示モードに移行させるための処理を実行すると、制御部２３０は、投写型表示装置２が通常表示モードである旨を示す表示を、動作モード表示部２２５に表示させる（ステップＳ２０８）。
【０１３４】
また、ステップＳ２０４において、制御部２３０は、検出結果Ｄが目標値Ｃ以下である場合には、検出結果Ｄが目標値Ｂ以下であるか否かを判断する（ステップＳ２０９）。制御部２３０は、検出結果Ｄが目標値Ｂよりも大きい場合には、充電モード移行コマンドの入力の有無を確認する（ステップＳ２１２）。
【０１３５】
制御部２３０は、充電モード移行コマンドの入力がない場合には、ステップＳ２０３に戻る。一方、制御部２３０は、充電モード移行コマンドの入力がある場合には、投写型表示装置２を充電モードに移行させるための処理を実行する（ステップＳ２１０）。制御部２３０が、充電モードに移行させるための処理を実行すると、制御部２３０は、投写型表示装置２が充電モードである旨を示す表示を、動作モード表示部２２５に表示させる（ステップＳ２１１）。
【０１３６】
ステップＳ２０８およびＳ２１１の処理が終了すると、省電力モードにおける制御方法の処理手順が終了する。
【０１３７】
図８は、通常表示モードにおける制御部２３０の制御方法の処理手順例を示すフローチャートである。図８（ａ）は、通常表示モードにおける制御部２３０の制御方法の初期動作を示すフローチャートである。
【０１３８】
まず、制御部２３０は、スイッチ部２０２および電力供給元切換部２０８におけるスイッチ素子２０８−１から２０８−１４をオフ状態にする（ステップＳ３０１）。制御部２３０が、スイッチ部２０２および電力供給元切換部２０８をオフ状態にすると、制御部２３０は、記憶部２２６に記憶された目標値Ｂおよび目標値Ｃを読み出す（ステップＳ３０２）。
【０１３９】
制御部２３０が、目標値Ｂおよび目標値Ｃを読み出すと、制御部２３０は、記憶部２２６に記憶された第１および第２の使用時間Ｊ１およびＪ２を読み出す（ステップＳ３０３）。
【０１４０】
制御部２３０が、第１および第２の使用時間Ｊ１およびＪ２を読み出すと、制御部２３０は、残容量検出部２０６を介して、蓄電部２０５の残容量を検出し、その検出結果Ｄを記憶部２２６に記憶する（ステップＳ３０４）。
【０１４１】
制御部２３０が、検出結果Ｄを記憶部２２６に記憶すると、制御部２３０は、記憶部２２６に記憶された検出結果Ｄに基づいて、残容量時間算出部２０８によって算出された残容量時間Ｆを、記憶部２２６に記憶する（ステップＳ３０５）。
【０１４２】
制御部２３０が、残容量時間Ｆを記憶部２２６に記憶すると、制御部２３０は、画像信号処理部２２１によって生成される画像入力情報の有無を確認する（ステップＳ３０６）。制御部２３０は、画像信号処理部２２１に画像入力情報がない場合には（ステップＳ３０７）、処理Ａに進む。
【０１４３】
一方、制御部２３０は、画像信号処理部２２１に画像入力情報がある場合には（ステップＳ３０７）、検出結果Ｄが、目標値Ｃ以下であるか否かを判断する（ステップＳ３０８）。そして、制御部２３０は、検出結果Ｄが目標値Ｃ以下である場合には、処理Ｂに進む。
【０１４４】
一方、制御部２３０は、検出結果Ｄが目標値Ｃよりも大きい場合には、第１の使用時間Ｊ１と第２の使用時間Ｊ２とを比較する（ステップＳ３０９）。
【０１４５】
制御部２３０は、第１の使用時間Ｊ１が、第２の使用時間Ｊ２よりも短い場合には、処理Ｃに進む。一方、制御部２３０は、第１の使用時間Ｊ１が、第２の使用時間Ｊ２と比べて長い、または、等しい場合には、処理Ｄに進む。また、処理Ｅの後に、ステップＳ３０３からＳ３０９までの一連の処理を行う。
【０１４６】
図８（ｂ）は、処理Ａおよび処理Ｂの処理手順例を示すフローチャートである。
【０１４７】
図８（ａ）に示されたステップＳ３０８で、制御部２３０が、検出結果Ｄが目標値Ｃ以下であると判断した後の処理Ｂにおいて、制御部２３０は、記憶部２２６に記憶された残容量時間Ｆを、スクリーンに表示させる（ステップＳ３１９）。制御部２３０が、残容量時間Ｆをスクリーンに表示させると、制御部２３０は、投写型表示装置２が充電モードに移行する旨を示す表示をスクリーンに表示させる（ステップＳ３２０）。
【０１４８】
制御部２３０が、投写型表示装置２が充電モードに移行する旨を示す表示をスクリーンに表示させると、制御部２３０は、投写型表示装置２を充電モードに移行させるための処理を実行する（ステップＳ３２１）。
【０１４９】
制御部２３０が、投写型表示装置２を充電モードに移行させるための処理を実行すると、制御部２３０は、投写型表示装置２が充電モードである旨を示す表示を、動作モード表示部２２５に表示させる（ステップＳ３２２）。
【０１５０】
図８（ａ）に示されたステップＳ３０７で、制御部２３０が、画像信号処理部２２１に画像入力情報がないと判断した後の処理Ａにおいて、制御部２３０は、スイッチ部２０２と、スイッチ素子２０８−１から２０８−１４と、をオフ状態にする（ステップＳ３２３）。
【０１５１】
制御部２３０が、スイッチ部２０２と、スイッチ素子２０８−１から２０８−１４と、をオフ状態にすると、制御部２３０は、検出結果Ｄが、目標値Ｂ以下であるか否かを判断する（ステップＳ３２４）。
【０１５２】
制御部２３０は、検出結果Ｄが、目標値Ｂ以下である場合には、ステップＳ３２１に進む。一方、制御部２３０は、検出結果Ｄが、目標値Ｂよりも大きい場合には、充電モード移行コマンドの入力の有無を確認する（ステップＳ３２５）。制御部２３０は、充電モード移行コマンドの入力がある場合には、ステップＳ３２１に進む。
【０１５３】
一方、制御部２３０は、充電モード移行コマンドの入力がない場合には、投写型表示装置２を省電力モードに移行させるための処理を実行する（ステップＳ３２７）。制御部２３０が、省電力モードに移行させるための処理を実行すると、制御部２３０は、投写型表示装置２が省電力モードである旨を示す表示を、動作モード表示部２２５に表示させる（ステップＳ３２８）。
【０１５４】
ステップＳ３２２およびＳ３２８の処理が終了すると、通常表示モードにおける制御方法の処理手順が終了する。
【０１５５】
図８（ｃ）は、処理Ｃおよび処理Ｄの処理手順例を示すフローチャートである。
【０１５６】
図８（ａ）に示されたステップＳ３０９で、制御部２３０が、第１の使用時間Ｊ１が、第２の使用時間Ｊ２よりも短いと判断した後の処理Ｃにおいて、制御部２３０は、第１の使用時間Ｊ１が、第２の使用時間Ｊ２よりも短い場合には、スイッチ素子２０８−１から２０８−３と２０８−１０から２０８−１２とをオフ状態にし、スイッチ素子２０８−４から２０８−９をオン状態にする（ステップＳ３１０）。すなわち、制御部２３０は、第１の使用時間Ｊ１が、第２の使用時間Ｊ２よりも短い場合には、電力供給元切換部２０８の接続状態を、第１の接続状態に切り換える。
【０１５７】
図８（ａ）に示されたステップＳ３０９で、制御部２３０が、第１の使用時間Ｊ１が、第２の使用時間Ｊ２と比べて長い、または、等しいと判断した後の処理Ｄにおいて、制御部２３０は、スイッチ素子２０８−１から２０８−３と２０８−１０から２０８−１２とをオン状態にし、スイッチ素子２０８−４から２０８−９をオフ状態にする（ステップＳ３１１）。すなわち、制御部２３０は、第１の使用時間Ｊ１が、第２の使用時間Ｊ２と比べて長い、または、等しい場合には、電力供給元切換部２０８の接続状態を、第２の接続状態に切り換える。
【０１５８】
ステップＳ３１０またはＳ３１１の処理の後、制御部２３０は、スイッチ部２０２と、スイッチ素子２０８−１３および２０８−１４と、をオン状態にする（ステップＳ３１２）。
【０１５９】
制御部２３０が、スイッチ部２０２と、スイッチ素子２０８−１３および２０８−１４と、をオン状態にすると、制御部２３０は、画像信号処理部２２１に対し、入力された画像信号に示される、投写される画像の明るさを判定するよう制御する（ステップＳ３１３）。そして、制御部２３０は、画像信号処理部２２１による判定結果が、明るさ閾値未満であるか否かを判断する（ステップＳ３１４）。
【０１６０】
制御部２３０は、判定結果が、明るさ閾値未満である場合には、画像が暗いと判断して、蓄電側の駆動電力を、判定結果が明るさ閾値以上のときと比べて低下させる（ステップＳ３１５）。制御部２３０が、蓄電側の駆動電力を低下させると、制御部２３０は、記憶部２２６に記憶された残容量時間Ｆを、スクリーンに表示させる（ステップＳ３１６）。
【０１６１】
一方、制御部２３０は、判定結果が、明るさ閾値以上である場合には、画像が明るいと判断して、蓄電側の駆動電力および電源側の駆動電力を維持し、記憶部２２６に記憶された残容量時間Ｆを、スクリーンに表示させる（ステップＳ３１６）。
【０１６２】
制御部２３０が、残容量時間Ｆを、スクリーンに表示させると、制御部２３０は、投写型表示装置２が通常表示モードである旨を示す表示を、動作モード表示部２２５に表示させる（ステップＳ３１７）。
【０１６３】
制御部２３０が、投写型表示装置２が通常表示モードである旨を示す表示を、動作モード表示部２２５に表示させると、制御部２３０は、時間計測部２２４を介して、第１の使用時間Ｊ１および第２の使用時間Ｊ２を測定し、その測定結果を記憶部２２６に記憶して（ステップＳ３１８）、図８（ａ）に示された処理Ｅに進む。
【０１６４】
本実施形態によれば、発光部４００Ｒ、４００Ｇおよび４００Ｂが、複数の色の光源として、各色ごとに設けられた光源部４０１Ｒ、４０１Ｇおよび４０１Ｂと、光源部４０２Ｒ、４０２Ｇおよび４０２Ｂと、を有する。
【０１６５】
さらに光源駆動部２１１Ｒが、光源部４０１Ｒに駆動電力を供給し、光源駆動部２１１Ｇが、光源部４０１Ｇに駆動電力を供給し、光源駆動部２１１Ｂが、光源部４０１Ｂに駆動電力を供給する。さらに光源駆動部２１２Ｒが、光源部４０２Ｒに駆動電力を供給し、光源駆動部２１２Ｇが、光源部４０２Ｇに駆動電力を供給し、光源駆動部２１２Ｂが、光源部４０２Ｂに駆動電力を供給する。
【０１６６】
発光部４００Ｒ、４００Ｇおよび４００Ｂが、光源部４０１Ｒ、４０１Ｇおよび４０１Ｂと、光源部４０２Ｒ、４０２Ｇおよび４０２Ｂと、を有することによって、光源制御装置２００は、光源部４０１Ｒ、４０１Ｇおよび４０１Ｂと、光源部４０２Ｒ、４０２Ｇおよび４０２Ｂと、に供給する駆動電力の大きさを、独立して制御することができる。
【０１６７】
また、本実施形態では、ＡＣ−ＤＣ電圧変換部２０３が、外部電源を受けて、光源駆動部２１１Ｒ、２１１Ｇおよび２１１Ｂ、または、光源駆動部２１２Ｒ、２１２Ｇおよび２１２Ｂのうち一方の光源駆動部に電力を供給する。さらに蓄電部２０５が、外部電源を用いて電力を蓄積し、その蓄積された電力を、光源駆動部２１２Ｒ、２１２Ｇおよび２１２Ｂ、または、光源駆動部２１１Ｒ、２１１Ｇおよび２１１Ｂのうち他方の光源駆動部に電力を供給する。
【０１６８】
蓄電部２０５が、蓄積された電力を他方の光源駆動部に供給することによって、ＡＣ−ＤＣ電圧変換部２０３の出力を超える電力を補うことができる。すなわち、光源制御装置２００が、ＡＣ−ＤＣ電圧変換部２０３に加え、蓄電部２０５を有することによって、光源制御装置２００の電力供給能力を高めることができる。
また、本実施形態では、制御部２３０が、画像信号に示される、スクリーンに投写される画像の明るさに応じて、蓄電部２０５から電力を受けている光源駆動部によって出力される蓄電側の駆動電力を増減させる。
すなわち、画像信号処理部２２１が、画像信号に示される画像の明るさが複数の段階のいずれであるかを判定し、制御部２３０が、画像信号処理部２２１による判定結果が、所定の閾値未満である場合には、蓄電側の駆動電力を、判定結果が所定の閾値以上であるときに比べて低下させる。
【０１６９】
このため、制御部２３０が、投写される画像が暗い場合に、ＡＣ−ＤＣ電圧変換部２０３から電力を受けている光源駆動部の駆動電力を低下させることなく、蓄電側の駆動電力を低下させることができる。よって、光源制御装置２００は、同じ容量の蓄電部２０５による電力供給をより長く行うことができるので、蓄電部２０５の容積および重量を抑制することができ、製造コストを低減することができる。
【０１７０】
例えば、投写型表示装置２が、明るいシーンの画像と暗いシーンの画像とのシーン比率が５０％である複数の画像を順次投写する場合を想定する。そして、明るいシーンの画像を投写するときの発光部４００Ｒ、４００Ｇおよび４００Ｂに対する蓄電部２０５から供給される投入電力を２５０Ｗ、暗いシーンでの投入電力を明るいシーンの半分の１２５Ｗとする。さらに、蓄電部２０５に用いる蓄電地１個あたりの電力量および重量を、９．２５Ｗｈ（＝３．７Ｖ×２．５Ａｈ）、４７ｇとする。
【０１７１】
シーン比率が５０％である複数の画像を順次投写する場合、投写型表示装置２は、約８１個（＝３×２５０／９．２５＋０×１２５／９．２５）、総重量３８０７ｇ（＝８１×４７）の蓄電池を用いることによって、複数の画像を６時間程度、投写することができる。一方、本実施形態を適用しない投写型表示装置では、複数の画像を６時間程度、投写するのに、約１２２個（＝３×２５０／９．２５＋３×１２５／９．２５）、総重量５７３４ｇ（＝１２２×４７）の蓄電池が必要となる。
【０１７２】
よって、本実施形態では、投写型表示装置２に設ける蓄電部２０５の容積および重量を抑制することができ、製造コストを低減することができる。
【０１７３】
また、本実施形態では、電力供給元切換部２０８が、ＡＣ−ＤＣ電圧変換部２０３から光源駆動部２１１Ｒ、２１１Ｇおよび２１１Ｂに電力が供給されるとともに蓄電部２０５から光源駆動部２１２Ｒ、２１２Ｇおよび２１２Ｂに電力が供給される状態と、ＡＣ−ＤＣ電圧変換部２０３から光源駆動部２１２Ｒ、２１２Ｇおよび２１２Ｂに電力が供給されるとともに蓄電部２０５から光源駆動部２１１Ｒ、２１１Ｇおよび２１１Ｂに電力が供給される状態と、を交互に切り換える。
【０１７４】
電力供給元切換部２０８が、電力供給元を交互に切り換えることによって、投写型表示装置２は、光源部４０１Ｒ、４０１Ｇおよび４０１Ｂと、光源部４０２Ｒ、４０２Ｇおよび４０２Ｂとの発光時間の偏りを低減することができる。すなわち、投写型表示装置２は、光源部４０１Ｒ、４０１Ｇ、４０１Ｂ、４０２Ｒ、４０２Ｇおよび４０２Ｂの経年劣化の度合いを平準化することができる。
【０１７５】
また、本実施形態では、発光部４００Ｒ、４００Ｇおよび４００Ｂが、発光ダイオードからなる光源部４０１Ｒ、４０１Ｇ、４０１Ｂ、４０２Ｒ、４０２Ｇおよび４０２Ｂを有することによって、発光部４００Ｒ、４００Ｇおよび４００Ｂの寿命を長くすることができる。また、高圧水銀ランプのように環境に有害な物質を排出することがなくなる。
【０１７６】
また、本実施形態では、発光部４００Ｒ、４００Ｇおよび４００Ｂが、光源として、赤、緑および青の色光を出射することによって、投写型表示装置２は、カラー画像をスクリーンに投写することができる。
【０１７７】
また、本実施形態では、冷却部５０１Ｒ、５０１Ｇおよび５０１Ｂが、発光部４００Ｒ、４００Ｇおよび４００Ｂの近傍を冷却することによって、光源部４０１Ｒ、４０１Ｇ、４０１Ｂ、４０２Ｒ、４０２Ｇおよび４０２Ｂを構成する発光ダイオードの接合部における温度上昇に起因する光量の変動を抑制することができる。
【０１７８】
なお、本実施形態では、例えば、画像を常時投写しない講義または講演会でのプレゼンテーションや、暗いシーンが多い映画の鑑賞などに用いられる投写型表示装置に適用することがきる。
【０１７９】
なお、本実施形態では、色光ごとに空間光変調装置６０１を設ける例について説明したが、共通の空間光変調装置へ各色光を順次供給する色順次方式によって変調を行う構成としてもよい。
【０１８０】
なお、本実施形態では、発光部４００Ｒ、４００Ｇおよび４００Ｂのそれぞれが、２つの光源部を有する例について説明したが、発光部４００Ｒ、４００Ｇおよび４００Ｂのそれぞれが３つ以上の光源部を有してもよい。
【０１８１】
なお、本実施形態では、電力供給元切換部２０８が、３つの発光部４００Ｒ、４００Ｇおよび４００Ｂに対して電力供給元を同時に切り換える例について説明したが、色光ごとに電力供給元を切り換えるようにしてもよい。
【０１８２】
なお、本実施形態では、充電モードにおいて、蓄電部２０５の電力を蓄積する例について説明したが、画像が暗いため、蓄電部２０５から光源駆動部に電力を供給していない場合には、残容量が、目標値Ａに達するまで蓄電部２０５を充電するようにしてもよい。
【０１８３】
以上説明した各実施形態において、図示した構成は単なる一例であって、本発明はその構成に限定されるものではない。
【符号の説明】
【０１８４】
２  投写型表示装置
２００  光源制御装置
２０１  接続部
２０２  スイッチ部
２０３  ＡＣ−ＤＣ電圧変換部
２０４  充電部
２０５  蓄電部
２０６  残容量検出部
２０７  制御駆動部
２０８  電力供給元切換部
２０８−１〜２０８−１４  スイッチ素子
２１１Ｒ、２１１Ｇ、２１１Ｂ、２１２Ｒ、２１２Ｇ、２１２Ｂ  光源駆動部
２１３Ｒ、２１３Ｇ、２１３Ｂ  冷却駆動部
２１４  画像信号処理駆動部
２１５  空間光変調信号生成駆動部
２２１  画像信号処理部
２２２  空間光変調信号生成部
２２３  残容量時間算出部
２２４  時間計測部
２２５  動作モード表示部
２２６  記憶部
４００Ｒ、４００Ｇ、４００Ｂ  発光部
４０１Ｒ、４０１Ｇ、４０１Ｂ、４０２Ｒ、４０２Ｇ、４０２Ｂ  光源部
５０１Ｒ、５０１Ｇ、５０１Ｂ  冷却部
６０１Ｒ、６０１Ｇ、６０１Ｂ  空間光変調部
７０１  クロスダイクロイックプリズム
７０２  投写レンズ
【図１】
2011089713.tif 000003
【図２】
2011089713.tif 000004
【図３】
2011089713.tif 000005
【図４】
2011089713.tif 000006
【図５】
2011089713.tif 000007
【図６】
2011089713.tif 000008
【図７】
2011089713.tif 000009
【図８ａ】
2011089713.tif 000010
【図８ｂ】
2011089713.tif 000011
【図８ｃ】
2011089713.tif 000012
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
複数の色の光源として、前記各色ごとに設けられた第１および第２の発光素子を含み、各色光を出射する複数の発光手段と、前記発光手段から出射された各色光を画像信号に基づいて光変調する複数の変調手段と、前記光変調された各色光を合成する合成手段と、前記合成された光を画像として投写する投写手段と、を有する投写型表示装置の光源制御装置であって、
前記第１の発光素子に駆動電力を供給する第１の駆動手段と、
前記第２の発光素子に駆動電力を供給する第２の駆動手段と、
外部電源を受けて、前記第１の駆動手段に電力を供給する電源手段と、
前記外部電源を用いて電力を蓄積し、前記蓄積された電力を前記第２の駆動手段に供給する蓄電手段と、
前記画像信号に示される、投写される前記画像の明るさに応じて前記第２の駆動手段により出力される第２の駆動電力を増減させる制御手段と、を備える光源制御装置。
【請求項２】
請求項１に記載の光源制御装置において、
前記制御手段は、前記画像信号に示される画像の明るさが、所定の閾値未満である場合には、前記第２の駆動電力を、前記明るさが前記所定の閾値以上のときに比べて低下させる、光源制御装置。
【請求項３】
請求項１または２に記載の光源制御装置において、
前記電源手段から前記第１の駆動手段に電力が供給されるとともに前記蓄電手段から前記第２の駆動手段に電力が供給される接続状態と、前記電源手段から前記第２の駆動手段に電力が供給されるとともに前記蓄電手段から前記第１の駆動手段に電力が供給される接続状態と、を交互に切り換える切換手段をさらに備え、
前記制御手段は、前記画像信号に示される画像の明るさに応じて、前記蓄電手段から電力を受けている前記駆動手段により出力される前記第２の駆動電力を増減させる、光源制御装置。
【請求項４】
請求項１または３のいずれか１項に記載の光源制御装置において、
前記第１および第２の発光素子は、発光ダイオードである、光源制御装置。
【請求項５】
請求項１から４のいずれか１項に記載の光源制御装置において、
前記複数の発光手段は、前記複数の色の光源として、赤、緑および青の色光を出射するものである、光源制御装置。
【請求項６】
請求項１から５のいずれか１項に記載の光源制御装置において、
前記投写型表示装置は、第１および第２の発光素子を冷却する冷却手段をさらに含むものである、光源制御装置。
【請求項７】
複数の色の光源から出射された各色光を画像信号に基づいて光変調する複数の変調手段と、前記光変調された各色光を合成する合成手段と、前記合成された光を画像として投写する投写手段と、を有する投写型表示装置であって、
前記光源として、前記各色ごとに設けられた第１および第２の発光素子を含み、色光を出射する複数の発光手段と、
前記第１の発光素子に駆動電力を供給する第１の駆動手段と、
前記第２の発光素子に駆動電力を供給する第２の駆動手段と、
外部電源を受けて、前記第１の駆動手段に電力を供給する電源手段と、
前記外部電源を用いて電力を蓄積し、前記蓄積された電力を前記第２の駆動手段に供給する蓄電手段と、
前記画像信号に示される、投写される前記画像の明るさに応じて前記第２の駆動手段により出力される第２の駆動電力を増減させる制御手段と、を備える投写型表示装置。
【請求項８】
請求項７に記載の投写型表示装置において、
前記制御手段は、前記画像信号に示される画像の明るさが、所定の閾値未満である場合には、前記第２の駆動電力を、前記明るさが前記所定の閾値以上のときに比べて低下させる、投写型表示装置。
【請求項９】
複数の色の光源として、前記各色ごとに設けられた第１および第２の発光素子を含み、各色光を出射する複数の発光手段と、前記発光手段から出射された各色光を画像信号に基づいて光変調する複数の変調手段と、前記光変調された各色光を合成する合成手段と、前記合成された光を画像として投写する投写手段と、を含む投写型表示装置における光源制御装置の光源制御方法であって、
外部電源に基づいて電源電力を生成し、
前記外部電源を用いて電力を蓄積し、前記蓄積された蓄積電力を放電し、
前記電源電力に基づいて、前記第１の発光素子を発光させるための第１の駆動電力を生成し、前記第１の駆動電力を前記第１の発光素子に供給し、
前記蓄積電力に基づいて、前記第２の発光素子を発光させるための第２の駆動電力を生成し、前記第２の駆動電力を前記第２の発光素子に供給し、
前記画像信号に示される、投写される前記画像の明るさに応じて前記第２の駆動電力を増減させる、光源制御方法。
【請求項１０】
複数の色の光源として、前記各色ごとに設けられた第１および第２の発光素子を含み、色光を出射する複数の発光手段と、前記発光手段から出射された各色光を画像信号に基づいて光変調する複数の変調手段と、前記光変調された各色光を合成する合成手段と、前記合成された光を画像として投写する投写手段と、を含む投写型表示装置における光源制御方法であって、
外部電源に基づいて電源電力を生成し、
前記外部電源を用いて電力を蓄積し、前記蓄積された蓄積電力を放電し、
前記電源電力に基づいて、前記第１の発光素子を発光させるための第１の駆動電力を生成し、前記第１の駆動電力を前記第１の発光素子に供給し、
前記第１の駆動電力に応じて前記第１の発光素子から各色光が出射され、
前記蓄積電力に基づいて、前記第２の発光素子を発光させるための第２の駆動電力を生成し、前記第２の駆動電力を前記第２の発光素子に供給し、
前記第２の駆動電力に応じて前記第２の発光素子から各色光が出射され、
前記画像信号に示される、投写される前記画像の明るさに応じて前記第２の駆動電力を増減させる、光源制御方法。
【国際調査報告】
2011089713.tif 000013
2011089713.tif 000014
2011089713.tif 000015
2011089713.tif 000016